(57)【要約】      （修正有）【課題】複数のベッドを簡易に連結することができるベッドの連結構造を提供する。【解決手段】複数のベッド１０を有し、各ベッド１０を各ベッド１０の長尺方向Ｌにおいて連結させるベッドの連結構造において、各ベッド１０は、各ベッド１０の長尺方向Ｌに亘って延在する一対の側板４０を備え、各ベッド１０の長尺方向Ｌにおいて各ベッド１０の間で互いに対向する側に位置する一対の側板４０を互いに当接させた状態で各ベッド１０の一対の側板４０を挟持する連結金具５０を備える。【選択図】図４
0003203490.tif 000002
【実用新案登録請求の範囲】
【請求項１】
複数のベッドを有し、該各ベッドを該各ベッドの長尺方向において連結させるベッドの連結構造において、
前記各ベッドは、
該各ベッドの長尺方向に亘って延在する一対の側板を備え、
前記各ベッドの長尺方向において該各ベッドの間で互いに対向する側に位置する前記一対の側板を互いに当接させた状態で前記各ベッドの前記一対の側板を挟持する連結金具を備えることを特徴とするベッドの連結構造。
【請求項２】
前記連結金具が、前記各ベッドの前記一対の側板の長尺方向に亘って複数個所に配設されることを特徴とする請求項１に記載のベッドの連結構造。
【請求項３】
前記各ベッドの前記一対の側板は、
該各ベッドの外側に位置する外側板と、
該外側板に重ね合わせられて前記各ベッドの内側に位置するとともにボルトによって前記外側板に取り付けられた内側板と、を備え、
前記連結金具は、
前記ボルトによって前記内側板とともに前記外側板に共締めされることを特徴とする請求項１または２に記載のベッドの連結構造。
【請求項４】
前記連結金具は、
前記ボルトが前記外側板に非貫通の状態で前記内側板の側から前記ボルトによって前記内側板とともに前記外側板に共締めされることを特徴とする請求項３に記載のベッドの連結構造。
【考案の詳細な説明】
【技術分野】
【０００１】
本考案は、ベッドの連結構造、特に、複数のベッドを各ベッドの長尺方向において連結させるベッドの連結構造に関する。
【背景技術】
【０００２】
複数のベッド、例えば２台のシングルベッドをそれらの長尺方向において当接させて１台のベッドと見立てて使用したり、１台のシングルベッドと１台のダブルベッドとをそれらの長手方向において当接させて１台のベッドと見立てて使用したりする場合がある。
【０００３】
このような場合に、当接させた各ベッドは、使用しているうちに位置ズレして離間してしまい、各ベッドの間に間隙が生じてしまう場合がある。かかる事態が発生することを防止し、当接させた各ベッドを１台のベッドと見立てて安定的に使用するためには、各ベッドを連結して使用することが望ましい。
【０００４】
特許文献１には、２台のベッドが組み合わせられて構成されるペアベッド装置が開示されている。このペアベッド装置は、第１ヘッドボードを有する第１ベッド、第２ヘッドボードを有する第２ベッド、及び第１ヘッドボードと第２ヘッドボードとを連結する化粧ヘッドボードを備える。
【０００５】
これら第１ベッドと第２ベッドとを連結する場合は、それぞれの長尺方向において第１ベッドと第２ベッドとを当接させた状態において、化粧ヘッドボードを第１ヘッドボードと第２ヘッドボードとに架け渡して、この化粧ヘッドボードを介して第１ヘッドボードと第２ヘッドボードとを連結する。これにより、第１ベッドと第２ベッドとが連結される。
【先行技術文献】
【特許文献】
【０００６】
【特許文献１】特開２００７−１９０１８５公報
【考案の概要】
【考案が解決しようとする課題】
【０００７】
しかし、特許文献１のペアベッド装置によれば、複数のベッドを離間させて使用する場合は、第１ヘッドボードと第２ヘッドボードとに架け渡される比較的大型の化粧ヘッドボードを保管する場所を確保する必要があることから、化粧ヘッドボードを保管する場所を確保できない場合は、ペアベッド装置の導入が制限されることになる。
【０００８】
さらに、特許文献１のペアベッド装置は、比較的大型の化粧ヘッドボードを介して第１ベッドと第２ベッドとを連結させたり、化粧ヘッドボードを取り外して第１ベッドと第２ベッドとを離間させたりすることから、連結させたり離間させたりする作業が大がかりで厄介になることが懸念される。
【０００９】
本考案は、上記事情に鑑みてなされたものであり、複数のベッドを簡易に連結することができるベッドの連結構造を提供することを課題とするものである。
【課題を解決するための手段】
【００１０】
上記課題を解決するための請求項１に記載の考案によるベッドの連結構造は、複数のベッドを有し、該各ベッドを該各ベッドの長尺方向において連結させるベッドの連結構造において、前記各ベッドは、該各ベッドの長尺方向に亘って延在する一対の側板を備え、前記各ベッドの長尺方向において該各ベッドの間で互いに対向する側に位置する前記一対の側板を互いに当接させた状態で前記各ベッドの前記一対の側板を挟持する連結金具を備えることを特徴とする。
【００１１】
この構成によれば、各ベッドの一対の側板のうち互いに対向する側の側板が当接された状態において、これら当接された側板が連結金具によって挟持されることによって、複数のベッドが連結される。したがって、複数のベッドを簡易に連結させることができる。
【００１２】
さらに、各ベッドの一対の側板が延在するベッドの長尺方向における任意の箇所に連結金具を配設するのみで各ベッドを連結させることができることから、連結金具を比較的小型に設計することができる。
【００１３】
したがって、複数のベッドを連結させないで独立して使用する場合は、連結金具の保管場所を改めて確保する必要もないことが想定されることから、任意の場所に連結金具を保管することができ、省スペース化を図ることができる。
【００１４】
請求項２に記載の考案によるベッドの連結構造は、請求項１に記載のベッドの連結構造において、前記連結金具が、前記各ベッドの前記一対の側板の長尺方向に亘って複数個所に配設されることを特徴とする。
【００１５】
この構成によれば、各ベッドの一対の側板の長尺方向に亘って複数の連結金具が配設されることによって、各ベッドが互いに安定的に連結される。
【００１６】
請求項３に記載の考案によるベッドの連結構造は、請求項１または２に記載のベッドの連結構造において、前記各ベッドの前記一対の側板は、該各ベッドの外側に位置する外側板と、該外側板に重ね合わせられて前記各ベッドの内側に位置するとともにボルトによって前記外側板に取り付けられた内側板と、を備え、前記連結金具は、前記ボルトによって前記内側板とともに前記外側板に共締めされることを特徴とする。
【００１７】
この構成によれば、連結金具は、内側板を外側板に取り付けるボルトによって内側板とともに外側板に共締めされることから、部材点数を減じた簡易な構造を実現することができる。その結果、ベッドの連結構造の製造コストも削減することができる。
【００１８】
請求項４に記載の考案によるベッドの連結構造は、請求項３に記載のベッドの連結構造において、前記連結金具は、前記ボルトが前記外側板に非貫通の状態で前記内側板の側から前記ボルトによって前記内側板とともに前記外側板に共締めされることを特徴とする。
【００１９】
この構成によれば、連結金具は、外側板に非貫通の状態で内側板の側からボルトによって内側板とともに外側板に共締めされることから、各ベッドは各側板の内側において連結される。これにより、連結金具及びボルトが各ベッドの外観に表出することがないことから、各ベッドの意匠面に影響を及ぼすことがない。
【考案の効果】
【００２０】
この考案によると、省スペースを図ったうえで、複数のベッドを簡易に連結することができる。
【図面の簡単な説明】
【００２１】
【図１】本考案の実施の形態に係るベッドの連結構造の概略を説明する図である。
【図２】同じく、本実施の形態に係るベッドの連結構造に用いられるベッドの概略を説明する図である。
【図３】同じく、本実施の形態に係る連結金具の概略を説明する図である。
【図４】同じく、本実施の形態に係るベッドの連結構造の要部を説明する図である。
【図５】同じく、本実施の形態に係る複数のベッドが連結された状態の概略を説明する図である。
【図６】図５のＡ矢視図である。
【図７】同じく、本実施の形態に係る複数のベッドが連結された状態の概略を説明する図である。
【考案を実施するための形態】
【００２２】
次に、図１〜図７を参照して、本考案の実施の形態について説明する。
【００２３】
図１は、本実施の形態に係るベッドの連結構造の概略を説明する図であり、図２は、本実施の形態に係るベッドの連結構造に用いられるベッドの概略を説明する図である。
【００２４】
図示のように、ベッドの連結構造１は、同一の仕様を有する複数のベッド１０、本実施の形態では２台のベッド１０、及びこれら２台のベッド１０を連結させる連結金具５０を主要構成として備える。
【００２５】
ベッド１０は、本実施の形態では、ベッド本体２０及びベッド本体２０における頭部側に設けられたヘッドボード２１を主要構成として備えた、いわゆるシングルサイズのベッドである。
【００２６】
ベッド本体２０は、本実施の形態では、ベッド本体２０の外形を構成するフレーム３０、フレーム３０に組み込まれた井桁状の床受け３１、及びフレーム３０に嵌め込まれる床板３２を備える。
【００２７】
フレーム３０は、矢線Ｌで示すベッド１０の長尺方向に亘って延在する一対の側板４０、及び一対の側板４０におけるベッド本体２０の足部側の端部の間に架設されて矢線Ｗで示すベッド１０の短尺方向に亘って延在するフットボード４５を備える。
【００２８】
この一対の側板４０は、本実施の形態では、ベッド１０の外側に位置する外側板４１、外側板４１に重ね合わせられてベッド１０の内側に位置する内側板４２を備える。
【００２９】
内側板４２には、ボルト４３を挿通するボルト孔４２ａが穿孔されており、このボルト孔４２ａにボルト４３が挿通されて外側板４１に締結されることによって、内側板４２が外側板４１に取り付けられる。
【００３０】
内側板４２は、外側板４１に重ね合わせられた際の高さ位置が外側板４１の高さ位置に対して低く設定されている。これにより、内側板４２の高さ位置と外側板４１の高さ位置との間に高低差が設けられることとなり、この高低差によって、内側板４２の上端縁がベッド１０の長尺方向に亘る桟４２ｂとして構成される。
【００３１】
この桟４２ｂの上に、本実施の形態では床板３２が載置されて、床板３２がフレーム３０に嵌め込まれる。
【００３２】
図３は、本実施の形態に係る連結金具５０の概略を説明する図である。図示のように、連結金具５０は、基部５１及び基部５１の両端から折曲して立設される一対の壁部５２を備える側面視コ字状の板金製であって、これら一対の壁部５２にはそれぞれ、通孔５３が穿孔されている。
【００３３】
図４は、本実施の形態に係るベッドの連結構造１の要部を説明する図であり、図５は、２台のベッド１０が連結された状態の概略を説明する図であり、図６は、図５のＡ矢視図である。
【００３４】
なお、これら各図においては、図面の視認性の向上の観点から、床受け３１の図示を省略する。
【００３５】
図示のように、ベッドの連結構造１は、各ベッド１０の一対の側板４０のうち互いに対向する側の側板４０が当接された状態において、これら当接された側板４０が、連結金具５０によって側板４０の下方から挟持されるように構成されている。
【００３６】
具体的には、各ベッド１０がその長尺方向Ｌにおいて、各ベッド１０の間で互いに対向する側に位置する各側板４０が互いに当接されるように隣接して配置された状態で、一のベッド１０の側板４０を形成する内側板４２と外側板４１及び他のベッド１０の側板４０を形成する外側板４１と内側板４２が、連結金具５０によって挟持される。
【００３７】
この連結金具５０を各ベッド１０に取り付ける場合は、本実施の形態では、連結金具５０を取り付ける部分において、内側板４２を外側板４１に取り付けているボルト４３を予め取り外しておき、内側板４２が外側板４１に重ね合わせられた状態で、これら内側板４２及び外側板４１を連結金具５０によって挟持させ、連結金具５０の壁部５２に穿孔された通孔５３を内側板４２に穿孔されたボルト孔４２ａに位置決めする。
【００３８】
この状態で、一のベッド１０において、内側板４２を外側板４１に取り付けるボルト４３を、連結金具５０の壁部５２に穿孔された通孔５３及び内側板４２に穿孔されたボルト孔４２ａに、内側板４２の側から挿通して締結する。
【００３９】
一方、他のベッド１０において、内側板４２を外側板４１に取り付けるボルト４３を、連結金具５０の壁部５２に穿孔された通孔５３及び内側板４２に穿孔されたボルト孔４２ａに、内側板４２の側から挿通して締結する。
【００４０】
ボルト４３をボルト孔４２ａに挿通して締結する際には、ボルト４３は外側板４１から突出することなく、外側板４１に非貫通の状態で外側板４１に取り付けられる。
【００４１】
このように、本実施の形態では、内側板４２を外側板４１に取り付けるボルト４３によって、連結金具５０が内側板４２とともに外側板４１に共締めされることで連結金具５０が各ベッド１０に取り付けられ、各ベッド１０が互いに連結される。
【００４２】
図７は、２台のベッド１０が連結された状態の概略を説明する図である。なお、図７においては、図面の視認性の向上の観点から、床受け３１の図示を省略する。
【００４３】
図示のように、ベッドの連結構造１は、本実施の形態では、各ベッド１０の一対の側板４０が延在する長尺方向Ｌに亘って、２基の連結金具５０が配設されている。複数（本実施の形態では２基）の連結金具５０が配設されることによって、２台のベッド１０が安定的に連結される。
【００４４】
このように、本実施の形態のベッドの連結構造１によれば、各ベッド１０の一対の側板４０のうち互いに対向する側の側板４０が当接された状態において、これら当接された側板４０が、連結金具５０によって挟持されることによって、２台のベッド１０が連結される。
【００４５】
しかも、各ベッド１０の側板４０が当接された状態で、当接された側板４０の下方から連結金具５０を取り付けることができることから、２台のベッド１０を簡易に連結させることができる。
【００４６】
さらに、本実施の形態のベッドの連結構造１は、各ベッド１０の一対の側板４０が延在する長尺方向Ｌにおける１箇所あるいは複数箇所に連結金具５０を配設するのみで各ベッド１０を連結させることができることから、連結金具５０を比較的小型に設計することができる。
【００４７】
したがって、２台のベッド１０を連結させないで独立して使用する場合は、連結金具５０の保管場所を改めて確保する必要もないことが想定されることから、任意の場所に連結金具５０を保管することができ、省スペース化を図ることができる。
【００４８】
連結金具５０は、各ベッド１０の各側板４０における内側板４２の間で各側板４０の下方から架設され、かつボルト４３は外側板４１から突出することなく、外側板４１に非貫通の状態で外側板４１に締結される。
【００４９】
これにより、各ベッド１０は各側板４０の内側において連結されるとともに、連結金具５０及びボルト４３が各ベッド１０の外観に表出することがないことから、各ベッド１０の意匠面に影響を及ぼすことがない。
【００５０】
連結金具５０は、本実施の形態では、内側板４２を外側板４１に取り付けるボルト４３によって、内側板４２とともに外側板４１に共締めされることから、部材点数を減じた簡易な構造を実現することができる。その結果、ベッドの連結構造１の製造コストも削減することができる。
【００５１】
なお、本考案は上記実施の形態に限定されることはなく、考案の趣旨を逸脱しない範囲で種々変更可能である。上記実施の形態では、連結されるベッド１０が２台である場合を説明したが、２台以上のベッドを連結することもできる。
【００５２】
上記実施の形態では、連結される２台のベッド１０が同一の仕様を有するいわゆるシングルサイズのベッドである場合を説明したが、例えばいわゆるダブルサイズのベッドを２台連結したり、１台のシングルサイズのベッドと１台のダブルサイズのベッドとを連結したりする等、仕様の異なる各種のベッドを連結してもよい。
【００５３】
上記実施の形態では、連結金具５０が各側板４０の下方から取り付けられる場合を説明したが、各側板４０の上方から連結金具５０を取り付けてもよい。
【００５４】
上記実施の形態では、側板４０が外側板４１及び内側板４２によって構成されている場合を説明したが、外側板４１のみによって側板４０を構成してもよい。
【００５５】
上記実施の形態では、連結金具５０が、内側板４２を外側板４１に取り付けるボルト４３によって内側板４２とともに外側板４１に共締めされる場合を説明したが、例えば、上記のように外側板４１のみによって側板４０を構成する場合は、ボルト４３を用いないで連結金具５０を締結するための専用のボルトを用いることもできる。
【００５６】
上記実施の形態では、床受け３１が井桁状に組まれている場合を説明したが、井桁状の床受けでない場合であっても、更には床受けが組まれていないベッドの場合であっても適用することができる。
【符号の説明】
【００５７】
１    ベッドの連結構造
１０    ベッド
２０    ベッド本体
３０    フレーム
４０    側板
４１    外側板
４２    内側板
４３    ボルト
５０    連結金具
Ｌ    長尺方向
【図１】
0003203490.tif 000003
【図２】
0003203490.tif 000004
【図３】
0003203490.tif 000005
【図４】
0003203490.tif 000006
【図５】
0003203490.tif 000007
【図６】
0003203490.tif 000008
【図７】
0003203490.tif 000009